(57)【要約】送受信器をデータ処理装置に電気的に接続するために受入ソケット（４）内に設けられたコネクタ装置（６）とボードとから放射される電磁放射を減衰するための減衰装置が提供される。前記減衰装置は、当該減衰装置（１）を前記受入ソケット（４）へ接続するためのストッパ部（２）と、前記減衰装置（１）を手動で操作するためのグリップ部（３）とを有している。前記ストッパ部（２）は減衰材料から成り、これによって、コネクタ装置（６）によって放射された電磁放射が吸収される。
2004515051.tif 000002
【特許請求の範囲】
【請求項１】
電磁放射を減衰するための減衰装置であって、
前記減衰装置は、送受信器をデータ処理装置に接続するために受入ソケット内に設けられた電気的コネクタ装置（６）から放射された電磁放射を減衰する形式のものにおいて、
前記減衰装置（１）を受入ソケット（４）に差し込むためのストッパ部（２）が設けられており、
前記ストッパ部（２）は、コネクタ装置（６）から放射された電磁放射を吸収する減衰材料から成り、
前記減衰装置（１）を手動で操作するためのグリップ部（３）が設けられていることを特徴とする減衰装置。
【請求項２】
電磁放射は所定の放射周波数範囲内で放射され、
前記所定の放射周波数範囲は、データ処理装置のデータ処理速度と前記受入ソケット（４）の幾何形状とに依存する、請求項１記載の減衰装置。
【請求項３】
前記減衰装置は所定の放射周波数範囲内で、放射されたエネルギーの大部分を吸収する、請求項１または２記載の減衰装置。
【請求項４】
前記減衰材料はエラストマから成り、
前記エラストマは、前記所定の放射周波数範囲内で、放射されたエネルギーの大部分を吸収する、請求項１から３までのいずれか１項記載の減衰装置。
【請求項５】
前記エラストマには付加的にジャイロトロピック材料、たとえば炭素粒子、フェライトおよび鉄粉粒子が、エネルギーをさらに付加的に吸収するために設けられている、請求項１から４までのいずれか１項記載の減衰装置。
【請求項６】
前記減衰材料は純粋なジャイロトロピック材料である、請求項１から５までのいずれか１項記載の減衰装置。
【請求項７】
少なくとも１つの金属層が、電磁放射を遮蔽するために設けられている、請求項１から６までのいずれか１項記載の減衰装置。
【請求項８】
前記金属層は実質的に、ストッパ部（２）の端面（２ａ）に対して平行に延在する、請求項７記載の減衰装置。
【請求項９】
前記グリップ部（３）の断面はストッパ部（２）にまで拡張し、ハウジング（５）に対する機械的ストップ（３ｂ）を形成している、請求項１から８までのいずれか１項記載の減衰装置。
【請求項１０】
前記グリップ部（３）は前記減衰材料から成る、請求項１から９までのいずれか１項記載の減衰装置。
【請求項１１】
前記グリップ部（３）および前記ストッパ部（２）は金属から成る、請求項１から９までのいずれか１項記載の減衰装置。
【請求項１２】
前記減衰材料は吸収したエネルギーを熱エネルギーに変換し、
前記熱エネルギーは受入ソケット（４）内の開口部（４ａ〜４ｆ）を通過して排出される、請求項１から１１までのいずれか１項記載の減衰装置。
【請求項１３】
前記ストッパ部（２）は、差し込まれた状態のときに受入ソケット（４）を完全に充填するように寸法決めされている、請求項１から１２までのいずれか１項記載の減衰装置。
【請求項１４】
前記ストッパ部（２）は、前記減衰装置（１）を受入ソケット（４）にロックするための突起を有している、請求項１から１３までのいずれか１項記載の減衰装置。
【発明の詳細な説明】
【０００１】
本発明は、受入ソケットに設けられた電気的コネクタ装置とボードとから放射される電磁放射を減衰するための減衰装置に関する。この場合コネクタ装置は、送受信器の電気接続、とりわけ光電的送受信器の電気接続に適している。
【０００２】
図１は、従来の技術によるコンピュータのハウジングないしはデータ処理装置のハウジングを示している。このコンピュータハウジングは、後壁に複数の受入ソケットないしはスロット（いわゆるポート）を、光電的送受信器をコンピュータハウジングに差し込むために有している。この送受信器は端面に電気コネクタを、送受信器をコンピュータハウジング内に設けられているデータ処理装置に接続するために有している。またこの送受信器は、少なくとも１つの光学的伝送線路ないしはグラスファイバに接続されている。この送受信器は電気的信号を、コネクタを介して電気的インターフェースから受信し、信号変換を信号変換装置で実行し、変換された光学的信号を、光学的インターフェースを介してグラスファイバへ送信する。これとは逆に、この送受信器はグラスファイバを介して光学的信号を受信し、この光学的信号を電気的信号に変換し、この信号を、コネクタを介してデータ処理装置へ送信する。
【０００３】
図２は、従来の技術による送受信器が、コンピュータハウジングの受入ソケットに差し込まれている様子を断面図で示している。送受信器の断面に存在する電気的コネクタは、送受信器をコンピュータハウジングに設けられたボードに電気的に接続するために受入ソケットに設けられているコネクタソケットに差し込まれている。このコネクタソケットは、電気的線路およびはんだ付け箇所を介して、コンピュータハウジング内に設けられたボードと接続されている。
【０００４】
データ処理装置におけるデータ伝送速度はますます高くなっており、すでにギガヘルツの領域にある。それゆえ、データ線路を介してボード上で伝送されるデータビットのシーケンスが０１０１・・・というように交番する場合、すでに正弦形の基本振動の周波数はたとえば１．５ＧＨｚである。データビットシーケンスが０１０１・・・というように交番することによって形成される矩形信号のデータビットコーナーを形成するために、さらに高い信号周波数、とりわけ基本振動の高調波が発生し、この基本振動の高調波はコネクタソケットに印加される。図２に示された送受信器が、コネクタソケットに電気的接続するために受入ソケットに差し込まれていない場合、この電気的コネクタソケットはアンテナのように作用し、高周波数の電磁放射を生じさせる。この電磁放射は、コンピュータハウジングに対して実質的に垂直に延在する放射方向で受入ソケットから放射される。このように生じた電磁放射は、コンピュータハウジング内に設けられたデータ処理装置の電磁耐性ＥＭＣを著しく減少させる。この電磁耐性ＥＭＣはＩＥＣの定義によれば、機器が電磁的環境において、耐え難い障害を周囲または他の機器にもたらすことなく十分に動作することができる能力である。
【０００５】
従来のデータ処理装置の場合、コンピュータボード上でのデータ伝送速度はそれほど高い周波数を有していなかったため、この電磁耐性に関してはほとんど問題がなかった。データ伝送速度が次第に高くなり、それに伴って電磁耐性ＥＭＣが減少するにつれ、コネクタソケットから放射される電磁放射を減少させる手段が次第に求められるようになってきた。このため、従来のコンピュータハウジングにおいてフラップが設けられるようになった。このフラップは、送受信器を受入ソケットから取り出すと閉じて受入ソケットを閉鎖する。従来は、このようなフラップは導電性の原料から製造されており、これによってコネクタソケットから放射された電磁放射が遮蔽される。
【０００６】
しかし、従来のコンピュータハウジングにおいてフラップによって電磁放射を減少させることができるようになっても、データ処理装置において必要な電磁耐性ＥＭＣに到達するには不十分である。データ処理装置は、非常に高いデータ伝送速度によってコンピュータボード上で動作しているからである。従来のコンピュータハウジングで使用されてきたようなフラップ装置は電磁放射を僅かに遮蔽するのみで、これでは、電磁放射のエネルギーを十分に減少させるのに不十分である。
【０００７】
受入ソケットを閉鎖するためのフラップ装置を有する従来のコンピュータハウジングの別の欠点は、フラップヒンジやフラップカバーが必要であり、かつ閉鎖すべき受入ソケットの数が比較的多いため、このコンピュータハウジングの製造コストが高いということである。さらに経験上、多くの受入ソケットには送受信器が差し込まれるため、コンピュータハウジングに設けられている受入ソケット全体に対して空いている受入ソケットの割合は比較的低い。それゆえ、差し込まれている受入ソケットに設けられたフラップ装置は何の機能も果たすことなく、冗長的である。
【０００８】
したがって本発明の課題は、コンピュータハウジングに設けられたデータ処理ユニットのデータ伝送速度が非常に高くてもデータ処理装置の高い電磁耐性ＥＭＣを保証し、同時に低コストで製造できる、電磁放射を減衰させるための減衰装置を提供することである。
【０００９】
この課題は本発明において、請求項１に記載された特徴を有する減衰装置によって解決される。
【００１０】
本発明によって、次のような電磁放射減衰装置が提供される。すなわち、送受信器をデータ処理装置に電気的に接続するために受入ソケットに設けられた電気的コネクタ装置とボードとから放射される電磁放射を減衰し、前記減衰装置を受入ソケットに差し込むためのストッパ部を有しており、前記ストッパ部は減衰材料から成り、前記緩和材料はコネクタ装置から放射された電磁放射を吸収し、前記減衰装置を手動で操作するためのグリップ部が設けられている電磁放射減衰装置が提供される。
【００１１】
電磁放射は有利には、データ処理装置内部のデータ伝送速度および受入ソケットの幾何学的寸法によって決められている放射周波数の範囲内で放射される。
【００１２】
前記減衰材料は有利には、所定の放射周波数範囲内で、放射されたエネルギーの大部分を吸収する。
【００１３】
減衰材料は、本発明による減衰装置の１つの有利な実施形態では、エラストマないしはプラスチックから成る。これによって、放射されたエネルギーの大部分が所定の放射周波数範囲内で吸収される。
【００１４】
本発明による減衰装置の特に有利な実施形態では、エラストマに付加的に、炭素粒子、フェライトまたは鉄粉粒子のようなジャイロトロピック材料が、さらにエネルギーを吸収するために設けられている。
【００１５】
また、本発明の減衰装置の１つの択一的な実施形態では、減衰材料はジャイロトロピック材料のみから成る。
【００１６】
別の１つの有利な実施形態では、付加的に金属層が、放射された電磁放射を遮蔽するために設けられている。
【００１７】
この金属層は、有利にはストッパ部の端面に対して平行に延在している。
【００１８】
本発明の減衰装置の特に有利な別の実施形態では、グリップ部の断面はストッパ部まで拡張しており、コンピュータハウジングに対する機械的なストップを有している。
【００１９】
本発明の減衰装置の特に有利な実施形態では、グリップ部は減衰部と同じ減衰材料から成る。
【００２０】
１つの択一的な実施形態では、グリップ部は金属から成り、これによって付加的に電磁放射が遮蔽される。
【００２１】
減衰材料によって吸収されたエネルギーは熱エネルギーに変換され、有利には開口部を通過して排出される。この開口部は受入ソケット内に設けられている。
【００２２】
差し込まれた状態では、有利にはストッパ部は受入ソケットを完全に充填する。
【００２３】
本発明の減衰装置の別の１つの実施形態では、ストッパ部は、減衰装置を受入ソケットにロックするための突起を有している。
【００２４】
本発明の減衰装置の有利な実施形態はさらに、本発明の実現に対して重要な特徴を説明するために添付された図面に関連して説明される。
【００２５】
図１　従来の技術による、複数の受入ソケットを有するコンピュータハウジング、ならびにそれに差し込み可能な送受信器を示している。
【００２６】
図２　従来の技術による、電磁放射を遮蔽するためのフラップが取り付けられた受入ソケットを有する従来のコンピュータハウジングの横断面図である。
【００２７】
図３ａ，３ｂ　本発明による減衰装置の特に有利な実施形態の斜視図である。
【００２８】
図４　コンピュータハウジングの受入ソケットに差し込まれた、本発明の減衰装置の横断面図である。
【００２９】
図３ａ、３ｂは、本発明の減衰装置１の特に有利な実施形態を斜視図で示している。この減衰装置１は、電気的コネクタ装置から放射される電磁放射を減衰するために使用される。減衰装置１は、当該減衰装置１をコンピュータハウジングの受入ソケットに差し込むためのストッパ部２から成る。このストッパ部２は、コネクタ装置から放射された電磁放射を吸収するための減衰材料から成る。減衰装置１はさらに、減衰装置１を手動で操作するためのグリップ部３を有している。
【００３０】
図３ａ、３ｂから理解できるように、グリップ部３の横断面は領域３ａ内のストッパ部２にまで延在しているか、ないしは拡張して、本発明の減衰装置１をコンピュータハウジングに対してストップさせるための機械的ストップ３ｂを形成する。さらに、グリップ部３は有利には、簡単に操作できるように指でつかみやすい湾曲部３ｃを有している。ストッパ部２は端面２ａを有している。ストッパ部２の高さＨ、幅Ｂおよび奥行きＴは有利には、差し込まれた状態の受入ソケットが完全に充填されるように寸法決めされる。
【００３１】
図４は、コンピュータハウジング５の受入ソケット４に差し込まれた、本発明の減衰装置１を示している。この受入ソケット４は電気的コネクタ装置６を有しており、この電気的コネクタ装置６は電気的線路７を介して、コンピュータボード９上のはんだ付け箇所８と接続されている。このはんだ付け箇所８は信号線路１０を介して、メインボード９上の、ここには図示されていないデータ処理ユニットと接続されている。はんだ付け脚部１１ａ、１１ｂによって、受入ソケット４はメインボード９に取り付けられている。
【００３２】
ストッパ部２は減衰材料から成り、これによって、コネクタ装置６から放射された電磁放射が吸収され、熱エネルギーに変換される。このように生じた熱エネルギーは減衰装置１によって、受入ソケット４内の熱排出開口部４ａ〜４ｆを介して排出される。コネクタ装置６から放射される電磁放射の周波数は、データ伝送線路１０上のデータ伝送速度と、受入ソケット４の幾何形状とに依存する放射周波数範囲内にある。ストッパ部２の減衰材料は、前記放射周波数範囲内で放射された電磁エネルギーの吸収される割合が特に高くなるように選択されている。この場合エネルギーの成分は、下方の境界周波数から始まって減衰材料２によって次第に強く減衰される。
【００３３】
ストッパ部２の減衰材料は、有利にはエラストマないしはプラスチックから成る。これらの減衰材料の分子鎖が放射周波数範囲内で振動することによって、放射された電磁エネルギーの大部分が熱エネルギーに変換される。１つの有利な発展形態では、エラストマないしはプラスチックには付加的にジャイロトロピック材料、たとえば炭素粒子、フェライト、鉄粉粒子等が混入されており、これによって付加的なエネルギー吸収が引き起こされる。減衰材料はまた択一的に、単にジャイロトロピック材料だけから製造することもできる。
【００３４】
本発明の減衰装置１の別の１つの実施形態では、付加的に金属層が設けられている。これによって、減衰によって熱に変換されなかった電磁放射の成分が拡散することが付加的に阻止される。この金属層は、有利にはストッパ部２の端面２ａに対して平行に延在する。
【００３５】
この実施形態によって、エネルギー変換に基づく電磁放射減衰の他に付加的に、変換されなかった電磁エネルギーの遮蔽が行われるという利点が得られる。このことによって、データ処理装置の電磁耐性ＥＭＣが付加的に上昇する。
【００３６】
ストッパ部２は受入ソケット４をほぼ完全に充填するので、エネルギー変換によって除去される電磁放射の割合は非常に高い。熱エネルギーへエネルギー変換されずに受入ソケット４から周辺部に輻射するおそれのある電磁放射の割合はごく僅かである。グリップ部３は任意の材料で製造することができる。１つの有利な実施形態では、グリップ部３はストッパ部と同じ材料から、つまりエラストマないしはプラスチックから成る。こうすることによって、減衰装置１を特に低コストで製造することができる。
【００３７】
本発明による減衰装置１は、ストッパ部２を以て受入ソケット４に差し込まれる。プラスチックが弾性を有しているため、減衰装置１は付加的な固定手段を必要とせずに、受入ソケット内に固定される。
【００３８】
本発明の減衰装置の別の１つの実施形態では、ストッパ部２は付加的に複数の突起を有している。減衰装置１が受入ソケット４にロックされるように、これらの突起はばね錠として形成されている。
【００３９】
本発明の減衰装置１によって、コネクタ装置６から放射される電磁放射を非常に大きく減少させることができ、それによってハウジング５内に設けられたデータ処理装置の電磁耐性ＥＭＣを非常に高くすることができる。この減衰装置１を単に差し込むだけで、操作者がたとえばねじによって付加的に固定する必要なく、このように電磁放射を減少させることができる。このことによって、特に簡単に本発明の減衰装置を使用することができる。本発明の減衰装置１は、任意の断面と任意の奥行きとを有する任意の受入ソケットに適している。本発明の減衰装置１を使用すれば、ハウジング５にはどのようなフラップ装置等も電磁放射を遮蔽するために必要ないので、ハウジング５もまた、特に低コストで製造することができる。
【図面の簡単な説明】
【図１】
従来の技術による、複数の受入ソケットを有するコンピュータハウジング、ならびにそれに差し込み可能な送受信器を示している。
【図２】
従来の技術による、電磁放射を遮蔽するためのフラップが取り付けられた受入ソケットを有する従来のコンピュータハウジングの横断面図である。
【図３】
本発明による減衰装置の特に有利な実施形態の斜視図である。
【図４】
コンピュータハウジングの受入ソケットに差し込まれた、本発明の減衰装置の横断面図である。
【図１】
2004515051.tif 000003
【図２】
2004515051.tif 000004
【国際公開パンフレット】
2004515051.tif 000005
2004515051.tif 000006
2004515051.tif 000007
2004515051.tif 000008
2004515051.tif 000009
2004515051.tif 000010
2004515051.tif 000011
2004515051.tif 000012
2004515051.tif 000013
2004515051.tif 000014
2004515051.tif 000015
2004515051.tif 000016
2004515051.tif 000017
2004515051.tif 000018
2004515051.tif 000019
2004515051.tif 000020
【国際調査報告】
2004515051.tif 000021
2004515051.tif 000022
2004515051.tif 000023
2004515051.tif 000024
2004515051.tif 000025
2004515051.tif 000026